(57)【要約】【課題】  動的無線通信のための方法及びシステムが提供される。【解決手段】  態様は、第１のデバイスの第１のコントローラによって起動デバイスから第１の起動信号を受信することと、第１の起動信号を受信することに応答して第１のデバイスを低電力状態から高電力状態に移行させることと、第１のデバイスによって第２の起動信号を第２のデバイスの第２のコントローラに同時送信することと、第１のデバイスによって無線ネットワークを同時送信し、この場合第１のデバイスは無線ネットワークに関するアクセスポイントを含むことと、第２のデバイスから無線ネットワークに参加するためのリクエストを受信することと、第１のデバイスによって第２のデバイスに対して無線ネットワークへのアクセスを許可することとを含む。【選択図】図４
2020113985.tif 000002
【特許請求の範囲】
【請求項１】
動的無線通信の方法であって、
第１のデバイスの第１のコントローラにより、起動デバイスから第１の起動信号を受信することと、
前記第１の起動信号を受信することに応答して、前記第１のデバイスを低電力状態から高電力状態に移行させることと、
前記第１のデバイスによって第２の起動信号を第２のデバイスの第２のコントローラに同時送信することと、
無線ネットワークに関するアクセスポイントを備えた前記第１のデバイスにより、前記無線ネットワークを同時送信することと、
前記第２のデバイスから前記無線ネットワークに参加するためのリクエストを受信することと、
前記第１のデバイスにより、第２のデバイスに対して無線ネットワークへのアクセスを許可することと、
を備えた、動的無線通信の方法。
【請求項２】
前記無線ネットワークを介して前記第２のコントローラからデータを受信することをさらに含む、請求項１に記載の方法。
【請求項３】
前記起動デバイスから前記無線ネットワークに参加するためのリクエストを受信することと、
前記第１のデバイスによって、前記起動デバイスに対して前記無線ネットワークへのアクセスを許可することと、をさらに含む、請求項２に記載の方法。
【請求項４】
前記無線ネットワークを介して前記第１のデバイスにより、前記第２のコントローラからの前記データを前記起動デバイスに伝達することをさらに含む、請求項３に記載の方法。
【請求項５】
前記第２のコントローラからのデータを前記起動デバイスに伝達することに応答して、前記第１のデバイスを前記高電力状態から前記低電力状態に移行させることをさらに含む、請求項１に記載の方法。
【請求項６】
前記第１のコントローラは、出荷コンテナと対応付けられる、請求項１に記載の方法。
【請求項７】
前記起動デバイスは、前記出荷コンテナに結合されたインターフェースを備える、請求項６に記載の方法。
【請求項８】
前記起動デバイスは、スマートフォン、タブレット及びコンピュータのうちの少なくとも１つを備える、請求項１に記載の方法。
【請求項９】
前記第２の起動信号は、前記無線ネットワークに接続するための信用証明データを含む、請求項１に記載の方法。
【請求項１０】
前記第１のデバイスはラジオ受信機を備える、請求項１に記載の方法。
【請求項１１】
動的無線通信システムであって、
第１のデバイスの第１のコントローラを備え、この第１のコントローラは、
第１の起動信号を起動デバイスから受信し、
前記第１の起動信号を受信することに応答して、前記第１のデバイスを低電力状態から高電力状態に移行させ、
前記第１のデバイスによって第２の起動信号を第２のデバイスの第２のコントローラに同時送信し、
前記第１のデバイスによって、無線ネットワークを同時送信し、前記第１のデバイスは前記無線ネットワークに関するアクセスポイントを含んでおり、
前記第２のデバイスから前記無線ネットワークに参加するためのリクエストを受信し、
前記第１のデバイスによって、前記第２のデバイスに対して前記無線ネットワークへのアクセスを許可する、
ように構成された、動的無線通信システム。
【請求項１２】
前記第１のコントローラは、
前記無線ネットワークを介して前記第２のコントローラからデータを受信するようにさらに構成される、請求項１１に記載のシステム。
【請求項１３】
前記第１のコントローラは、
前記起動デバイスから、前記無線ネットワークに参加するリクエストを受信し、
前記第１のデバイスにより、前記起動デバイスに対して前記無線ネットワークへのアクセスを許可するようにさらに構成される、請求項１２に記載のシステム。
【請求項１４】
前記第１のコントローラは、
前記無線ネットワークを介して前記第１のデバイスにより、前記第２のコントローラからの前記データを前記起動デバイスに伝達するようにさらに構成される、請求項１３に記載のシステム。
【請求項１５】
前記第１のコントローラは、
前記第２のコントローラからの前記データを前記起動デバイスに伝達することに応答して、前記第１のデバイスを前記高電力状態から前記低電力状態に移行させるようにさらに構成される、請求項１１に記載のシステム。
【請求項１６】
前記第１のコントローラは出荷コンテナと対応付けられる、請求項１１に記載のシステム。
【請求項１７】
前記起動デバイスは、前記出荷コンテナに結合されたインターフェースを備える、請求項１６に記載のシステム。
【請求項１８】
前記起動デバイスは、スマートフォン、タブレット及びコンピュータのうちの少なくとも１つを備える、請求項１１に記載のシステム。
【請求項１９】
前記第２の起動信号は、前記無線ネットワークに接続するための信用証明データを含む、請求項１１に記載のシステム。
【請求項２０】
前記第１のデバイスはラジオ受信機を備える、請求項１１に記載のシステム。
【発明の詳細な説明】
【技術分野】
【０００１】
本明細書に開示される主題は、冷蔵システムに関する。より具体的には、本明細書に開示される主題は、保管するために利用されるコンテナ及び船荷の冷蔵に関する。
【背景技術】
【０００２】
製品は、時には様々な異なる輸送の方式を利用して、長距離にわたって輸送されることが多い。そのような方式で製品を輸送する一つの一般的な方法は、一貫輸送の出荷コンテナの使用である。そのようなコンテナは、多様なコンテナを容易に取り扱い、積み重ねるように規格化されたサイズである。一般的なサイズは８フィート（２．４４ｍ）掛ける８フィートの幅、６インチ（２．５９Ｍ）の高さであり、２０フィート（６．１Ｍ）または４０フィート（１２．２．メートル）のいずれかの長さを有する。４５フィート（１３．７ｍ）、４８フィート（１４．６ｍ）及び５３フィート（１６．２ｍ）などのその他の長さが使用される場合もある。規格化された一貫輸送コンテナの利点は、製品をいかなるときでもコンテナから取り出す必要なしに様々な異なる場所から出荷させることができる点である。コンテナ自体が、トレーラ、レール運搬機または船舶に移動され、またそれらから移動される。
【０００３】
一部のコンテナは、コンピュータ化された部分を含む。例えば、冷蔵コンテナは、冷蔵ユニットをモニタまたは制御するのに使用されるコンピュータを有することができる。コンピュータクラウドは、例えば冷蔵コンテナの温度を変更する。それに加えて、コンテナは、冷蔵コンテナをモニタすることもできる。コンテナ内で達する最高温度、冷媒またはコンピュータの任意の電子機器の状態を決めることができる。
【０００４】
起こり得る問題は、各コンテナのコンピュータにアクセスするのが難しい場合があるということである。一貫輸送の出荷コンテナは典型的には、それらを積み重ねることができ、狭い所に詰め込むことができるように造られている。したがって、単一のコンテナのスタックには６個から１２個のコンテナが存在し得る。船舶または出荷施設内のコンテナの数を最大限にするために、コンテナは互いに極めて近づけて配置される場合がある。そのような構成の中で単一のコンテナにアクセスするのは難しい場合がある。
【発明の概要】
【発明が解決しようとする課題】
【０００５】
従って、本発明は、動的無線通信のための方法及びシステムを提供する。
【課題を解決するための手段】
【０００６】
一実施形態によって、特定の方法が提供される。方法は、第１のデバイスの第１のコントローラによって起動デバイスから第１の起動信号を受信することと、第１の起動信号を受信することに応答して第１のデバイスを低電力状態から高電力状態に移行させることと、第１のデバイスによって第２の起動信号を第２のデバイスの第２のコントローラに同時送信することと、第１のデバイスによって無線ネットワークを同時送信し、この場合第１のデバイスは無線ネットワークに関するアクセスポイントを含むことと、第２のデバイスから無線ネットワークに参加するためのリクエストを受信することと、第１のデバイスによって第２のデバイスに対して無線ネットワークへのアクセスを許可することと、を含む。
【０００７】
上記に記載した特徴の１つまたは複数に加えて、またはその代替として、方法のさらなる実施形態は、無線ネットワークを介して第２のコントローラからデータを受信することを含んでもよい。
【０００８】
上記に記載した特徴の１つまたは複数に加えて、またはその代替として、方法のさらなる実施形態は、起動デバイスから無線ネットワークに参加するためのリクエストを受信することと、第１のデバイスによって起動デバイスに対して無線ネットワークへのアクセスを許可することとを含んでもよい。
【０００９】
上記に記載した特徴の１つまたは複数に加えて、またはその代替として、方法のさらなる実施形態は、無線ネットワークを介して第１のデバイスによって第２のコントローラからのデータを起動デバイスに伝達することを含んでもよい。
【００１０】
上記に記載した特徴の１つまたは複数に加えて、またはその代替として、方法のさらなる実施形態は、第２のコントローラからのデータを起動デバイスに伝達することに応答して第１のデバイスを高電力状態から低電力状態に移行させることを含んでもよい。
【００１１】
上記に記載した特徴の１つまたは複数に加えて、またはその代替として、方法のさらなる実施形態は、第１のコントローラが出荷コンテナに対応付けられることを含んでもよい。
【００１２】
上記に記載した特徴の１つまたは複数に加えて、またはその代替として、方法のさらなる実施形態は、起動デバイスが、出荷コンテナに結合されたインターフェースを備えることを含んでもよい。
【００１３】
上記に記載した特徴の１つまたは複数に加えて、またはその代替として、方法のさらなる実施形態は、起動デバイスが、スマートフォン、タブレット及びコンピュータのうちの少なくとも１つを備えることを含んでもよい。
【００１４】
上記に記載した特徴の１つまたは複数に加えて、またはその代替として、方法のさらなる実施形態は、第２の起動信号が、無線ネットワークに接続するための信用証明データを含むことを含んでもよい。
【００１５】
上記に記載した特徴の１つまたは複数に加えて、またはその代替として、方法のさらなる実施形態は、第１のデバイスがラジオ受信機を備えることを含んでもよい。
【００１６】
一実施形態によって、特定のシステムが提供される。システムは、第１のデバイスの第１のコントローラを含み、第１のコントローラは起動デバイスから第１の起動信号を受信し、第１の起動信号を受信することに応答して第１のデバイスを低電力状態から高電力状態に移行させ、第１のデバイスによって第２の起動信号を第２のデバイスの第２のコントローラに同時送信し、第１のデバイスによって無線ネットワークを同時送信し、この場合第１のデバイスは無線ネットワークに関するアクセスポイントを含んでおり、第２のデバイスから無線ネットワークに参加するためのリクエストを受信し、かつ第１のデバイスによって第２のデバイスに対して無線ネットワークへのアクセスを許可するように構成される。
【００１７】
上記に記載した特徴の１つまたは複数に加えて、またはその代替として、システムのさらなる実施形態は、第１のコントローラが、無線ネットワークを介して第２のコントローラからデータを受信するようにさらに構成されることを含んでもよい。
【００１８】
上記に記載した特徴の１つまたは複数に加えて、またはその代替として、システムのさらなる実施形態は、第１のコントローラが、起動デバイスから無線ネットワークに参加するためのリクエストを受信し、また第１のデバイスによって起動デバイスに対して無線ネットワークへのアクセスを許可するようにさらに構成されることを含んでもよい。
【００１９】
上記に記載した特徴の１つまたは複数に加えて、またはその代替として、システムのさらなる実施形態は、第１のコントローラが、無線ネットワークを介して第１のデバイスによって第２のコントローラからのデータを起動デバイスに伝達するようにさらに構成されることを含んでもよい。
【００２０】
上記に記載した特徴の１つまたは複数に加えて、またはその代替として、システムのさらなる実施形態は、第１のコントローラが、第２のコントローラからのデータを起動デバイスに伝達することに応答して、第１のデバイスを高電力状態から低電力状態に移行させるようにさらに構成されることを含んでもよい。
【００２１】
上記に記載した特徴の１つまたは複数に加えて、またはその代替として、システムのさらなる実施形態は、第１のコントローラが出荷コンテナに対応付けられることを含んでもよい。
【００２２】
上記に記載した特徴の１つまたは複数に加えて、またはその代替として、システムのさらなる実施形態は、起動デバイスが、出荷コンテナに結合されたインターフェースを備えることを含んでもよい。
【００２３】
上記に記載した特徴の１つまたは複数に加えて、またはその代替として、システムのさらなる実施形態は、起動デバイスが、スマートフォン、タブレット及びコンピュータのうちの少なくとも１つを備えることを含んでもよい。
【００２４】
上記に記載した特徴の１つまたは複数に加えて、またはその代替として、システムのさらなる実施形態は、第２の起動信号が、無線ネットワークに接続するための信用証明データを含むことを含んでもよい。
【００２５】
上記に記載した特徴の１つまたは複数に加えて、またはその代替として、システムのさらなる実施形態は、第１のデバイスがラジオ受信機を備えることを含んでもよい。
【００２６】
本発明と見なされる主題は、本明細書の終わりの特許請求の範囲において具体的に指摘され、明確に特許請求される。本発明の前述の及び他の特徴ならびに利点は、添付の図面と併せることにより以下の詳細な説明から明らかである。
【図面の簡単な説明】
【００２７】
【図１】冷蔵輸送カーゴコンテナの一実施形態の概略図である。
【図２】本開示の１つまたは複数の実施形態を実施する際に使用するためのコンピューティングシステムのブロック図である。
【図３】本開示の１つまたは複数の実施形態による、コンテナコントローラに埋め込まれた無線カードを有するコンテナコントローラを各々が含む一群の出荷コンテナを描くブロック図である。
【図４】本開示の１つまたは複数の実施形態による動的無線通信のための方法のフロー図である。
【発明を実施するための形態】
【００２８】
本明細書に示され記載されるように、本開示の様々な特徴が提示される。種々の実施形態は、同一の、または類似の特徴を有してよく、これにより同一の、または類似の特徴は同一の参照番号によって分類されてよいが、その特徴が示される図面を指し示す異なる最初の数字が前に置かれてよい。よって、例えば図Ｘに示される要素「ａ」は「Ｘａ」と分類されてよく、図Ｚでの類似の特徴は「Ｚａ」と分類されてよい。類似の参照番号が包括的な概念で使用され得るが、様々な実施形態が記載され、様々な特徴は、明白に記載されようと、それ以外の方法で当業者によって理解されようと、当業者に理解されるように変更、代替形態、修正形態などを含んでもよい。
【００２９】
図１には、冷蔵カーゴコンテナ１０の一実施形態が示される。カーゴコンテナ１０は、頂部壁１２と、その正反対側の底部壁１４と、互いに対向する側壁１６と、前面壁１８と、を備える略矩形構造に形成されている。カーゴコンテナ１０は、前面壁１８の反対側の後面壁２０に１つまたは複数のドア（図示せず）をさらに含む。カーゴコンテナ１０は、カーゴコンテナ１０の内部５２に配置されたカーゴ２２を、コンテナ１０に配置された冷蔵ユニット２４の使用を通して選択された温度に維持するように構成される。カーゴコンテナ１０は可動式であり、例えばトラック、列車または船舶を介してカーゴ２２を輸送するのに利用される。冷蔵ユニット２４は、前面壁１８に配置され、コンプレッサ、コンデンサ、膨張弁、蒸発器及び蒸発器ファンならびに他の補助的な構成要素を含む。本明細書に記載されるカーゴコンテナ１０は単なる例示であり、本開示の用途、使用法及び／または技術的範囲を限定することは意図されておらず、これは当分野で知られる種々の形態で具現化することができる。コンテナは、港／ターミナル内にあり得るが、必ずしも輸送中ではない。
【００３０】
図２を参照すると、本明細書の教示を実施するためのプロセッシングシステム２００の一実施形態が示されている。この実施形態では、システム２００は、１つまたは複数の中央処理装置（プロセッサ）２１ａ、２１ｂ、２１ｃなど（まとめて、または包括的にプロセッサ（複数可）２１と呼ばれる）を有する。１つまたは複数の実施形態において、各プロセッサ２１は、縮小命令セットコンピュータ（ＲＩＳＣ）マイクロプロセッサを含んでよい。プロセッサ２１は、システムバス３３を介してシステムメモリ３４（ＲＡＭ）及び種々の他の構成要素に結合される。読み出し専用メモリ（ＲＯＭ）６２が、システムバス３３に結合され、基本入出力システム（ＢＩＯＳ）を含んでもよく、これがシステム２００の特定の基本機能を制御する。
【００３１】
図２は、システムバス３３に結合された入／出力（Ｉ／Ｏ）アダプタ２７及びネットワークアダプタ２６をさらに描いている。Ｉ／Ｏアダプタ２７は、ハードディスク２３及びテープストレージドライブ２５または任意の他の類似の成要素と通信するスモールコンピュータシステムインターフェース（ＳＣＳＩ）アダプタであってよい。Ｉ／Ｏアダプタ２７、ハードディスク２３及びテープストレージデバイス２５は、本明細書ではまとめてマスストレージ６４と呼ばれる。プロセッシングシステム２００上で実行するためのオペレーティングシステム４０がマスストレージ６４に格納されてよい。ネットワーク通信アダプタ２６は、バス３３を外部ネットワーク３６と接続し、データプロセッシングシステム２００が他のそのようなシステムと通信することを可能にする。スクリーン（例えばディスプレイモニタ）３５がディスプレイアダプタ３２によってシステムバス３３に接続され、これは、グラフィックス集約型アプリケーション及びビデオコントローラの性能を高めるためにグラフィックスアダプタを含んでよい。一実施形態において、アダプタ２７，２６及び３２は、中間バスブリッジ（図示せず）を介してシステムバス３３に接続された１つまたは複数のＩ／Ｏバスに接続されてよい。ストレージデバイスコントローラ、ハードディスクコントローラ、ネットワークアダプタ及びグラフィックスアダプタなどの周辺デバイスを接続するのに好適なＩ／Ｏバスは典型的には、ペリフェラルコンポーネントインターコネクト（ＰＣＩ）などの共通プロトコルを含む。追加の入／出力デバイスが、ユーザインターフェースアダプタ２８及びディスプレイアダプタ３２を介してシステムバス３３に接続されるように示されている。キーボード２９、マウス３０及びスピーカ３１は全て、ユーザインターフェースアダプタ２８を介してバス３３に相互接続され、これは例えば複数のデバイスアダプタを単一の集積回路に統合するスーパーＩ／Ｏチップを含んでよい。
【００３２】
例示の実施形態では、プロセッシングシステム２００は、グラフィックスプロセッシングユニット４１を含む。グラフィックスプロセッシングユニット４１は、ディスプレイに出力しようとするフレームバッファ内の画像の形成を促進させるためにメモリを操作し変更するように設計された特化された電子回路である。一般に、グラフィックスプロセッシングユニット４１は、コンピュータグラフィックス及び画像処理を操作するのに極めて有効であり、大きなブロックのデータの処理が並行して行なわれるアルゴリズムに関して汎用ＣＰＵよりもそれを有効にする高度な並行構造を有する。本明細書に記載されるプロセッシングシステム２００は単なる例示であり、本開示の用途、使用法及び／または技術的範囲に限定されることは意図されておらず、当分野で知られる種々の形態で具現化することができる。
【００３３】
よって図２に構成されるように、システム２００には、プロセッサ２１の形態での処理能力、システムメモリ３４及びマスストレージ６４を含む記憶能力、キーボード２９及びマウス３０などの入力手段、スピーカ３１及びディスプレイ３５を含む出力能力が含まれる。一実施形態において、システムメモリ３４及びマスストレージ６４の一部は、図２に示される種々の構成要素の機能を調整するためのオペレーティングシステムをまとめて格納する。図２は単に、例示及び説明する目的のために提示される非制限的な例である。
【００３４】
１つまたは複数の実施形態では、プロセッシングシステム２００は、例えば図１での冷蔵ユニット２４におけるサーモスタット、コントローラまたは他の構成要素において利用することができる。
【００３５】
上記に記載されるように、ここで本開示の態様により具体的に関係のある技術の概要を参照すると、一貫輸送の出荷コンテナは、単一のコンテナをその行程の間何度も積み降ろしする必要なしに、長距離にわたって製品を出荷するのに極めて有益である。特定の一貫輸送コンテナは、例えば冷蔵一貫輸送コンテナなどはコンピュータ化されている。一貫輸送出荷コンテナのコンピュータにアクセスして、コンテナを制御またはモニタすることが望ましい場合がある。しかしながら、これは実行するのが難しい場合がある。
【００３６】
コンテナ内にコンピュータシステムへの無線通信を確立することが可能であり得る。ひとたび確立されると、ユーザまたはフィールドエンジニアが、コンテナに対応付けられた情報にアクセスすることができる。このことは、積み重ねられた６から１２個のコンテナの高さであり得るコンテナにアクセスし易くすることができる。しかしながら難問も生じ、その理由は典型的にはコンテナは、造船所で積み重ねられる際、バッテリ電源で稼働するためである。このようなコンテナ上のコントローラは、無線アクセスポイントとして動作させることができる、または無線アクセスポイントに接続するように動作させることができる、またはピアツーピアネットワークもしくはメッシュネットワークもしくは複数のモードで同時に機能する場合もある埋め込み式の無線ハードウェアを有する。しかしながらコンテナコントローラ上の埋め込み式無線は、アクセスポイントとして動作する際、または無線ネットワークに接続する際にかなりの量の電力を消費する。コントローラがバッテリ電源で動作する場合、このような無線カードをアクティブに維持すること、または「オン」の状態が、比較的急速にバッテリを消耗する可能性がある。
【００３７】
次に本開示の態様の概要を参照すると、１つまたは複数の実施形態は、電力消費の削減からも利益を得るコンテナ内の動的無線通信構成のためのシステム及び方法を提供することによって、上記に記載した技術の上記で説明した欠点に対処する。このような電力の削減を達成するためには、コンテナコントローラは、無線カードを２つのモードのうちの１つで動作させる。第１のモードは、無線カードのスイッチが切られる、または最小限の電力を利用する低電力モードである。第２のモードは、無線カードが無線アクセスポイントとして、または無線クライアントとしてふるまうことができる無線モードである。この第２のモードは、第１のモードよりもコンテナバッテリからより多くの電力を消費する。１つまたは複数の実施形態では、コンテナコントローラは、無線カードを初期設定で第１のモードで稼働させることができる。第２のモードは、コンテナコントローラに対応付けられたトランシーバによって受信される起動信号に応答して作動される。起動信号は、例えばフィールドエンジニアによって操作されるユーザデバイスから生じる場合がある。起動信号はまた、どのタイプの無線機能（例えばアクセスポイントまたは無線クライアント）が必要とされるかを指定することもできる。１つまたは複数の実施形態では、コンテナコントローラは、無線カードをアクセスポイントとして稼働し、トランシーバを利用して第２の起動信号を近くの他のコンテナに伝達して他のコンテナコントローラを無線クライアントとして稼働させる、または２つ同時に稼働させる場合もある。加えて、フィールドエンジニアによって操作されるユーザデバイスがアクセスポイントに接続する場合もある。ひとたび無線アクセスポイントの範囲内のユーザデバイス及び全てのコンテナがこのネットワークに接続されると、ユーザデバイスは、造船所内または他の場所のコンテナに対応付けられたデータをダウンロードすることができる。１つのコンテナをアクセスポイントとして利用し、他のコンテナを無線クライアントとして利用することによって、これは、フィールドエンジニアが、典型的には上記に記載したようにそこへのアクセスを遂げるのが難しい種々のコンテナに対応付けられたデータを獲得することを可能にする。例えば、コンテナは、積み重ねられた１２個までのコンテナの高さであり得る。フィールドエンジニアは、スタックの底部近くのアクセスポイントコンテナにアクセスして、スタック内の１つまたは複数の全てのコンテナが接続するアクセスポイントになるようにコンテナコントローラを通して無線カードを作動させることができる。ひとたび全てのコンテナがネットワークに接続されると、フィールドエンジニアは、各コンテナからデータを一度に集めよう試みる代わりに、スタック内のこれらのコンテナに関して必要とされるデータをダウンロードすることができる。
【００３８】
次に本開示の態様のより詳細な記載を参照すると、図３は、１つまたは複数の実施形態による、コントローラに埋め込まれた無線カードを有するコンテナコントローラを各々が含む一群のコンテナ３００を描くブロック図を描いている。コンテナコントローラはまた、トランシーバも含む。１つまたは複数の実施形態では、起動デバイス３０６は、起動信号をアクセスポイントコンテナ３０２に伝達するのに利用される。起動信号は、アクセスポイントコンテナ３０２コントローラ上のトランシーバによって受信することができる。起動信号は、アクセスポイントコンテナ３０２のためのコントローラに埋め込まれた無線ユニット／カード／ハードウェアを作動させるようにコントローラに通知する。無線ユニット／カード／ハードウェアは、起動信号の前は、アクセスポイントコンテナ３０２のバッテリ電源を節約するために低電力モードで稼働している。上記に記載したように、無線カードは無線アクセスポイントとしてふるまうことができる、または別のアクセスポイントに接続された無線クライアントとしてふるまうこともできる。典型的には起動デバイス３０６に最も近いアクセスポイントコンテナ３０２がアクセスポイントとして設定される。ひとたびアクセスポイントとして設定されると、アクセスポイントコンテナ３０２の無線カードは、第２の起動信号を範囲内の他のコンテナ３０４に伝達して、無線クライアントとして稼働しアクセスポイントコンテナ３０２から同時送信（broadcasted）されたアクセスポイントに接続するように、そのそれぞれの無線カードを作動させることができる。ひとたび他のコンテナ３０４がアクセスポイントに接続されると、起動デバイス３０６はその後、アクセスポイントを通して、各コンテナ３０２、３０４に対応付けられたデータを獲得することができる。１つまたは複数の実施形態では、起動デバイス３０６は、例えばスマートフォン、タブレットまたはラップトップなどのユーザデバイスであり得る。１つまたは複数の実施形態では、起動デバイス３０６は、ユーザまたはフィールドエンジニアからの入力を受信してアクセスポイントコンテナ３０２コントローラ上の無線カードを直接作動させることができる、または起動信号をアクセスポイントコンテナ３０２コントローラ上のトランシーバに伝達することができる、アクセスポイントコンテナ３０２上のキーパッドまたは他のインターフェースであり得る。１つまたは複数の実施形態では、アクセスポイントコンテナ３０２は、他のコンテナ３０４の各々からデータを受信することができる。データは、コンテナに関する内容物データならびに例えば構成データなどの他の関連データを含むことができる。データは、アクセスポイントコンテナ３０２コントローラによって照合され、その後起動デバイス３０６に伝達することができる。
【００３９】
１つまたは複数の実施形態では、ひとたび起動信号が出ると、コントローラが低電力モードであるかどうかに関わらず直ちにネットワークを形成することができる。また、ひとたび起動信号が送信されると、ユニットのうちの１つまたは複数は、顧客または製造者によって提供されるルータ／ゲートウェイなどの無線インフラストラクチャに接続されてよい。１つまたは複数の実施形態では、アクセスポイントコンテナ３０２は、起動デバイス３０６を操作するユーザまたはフィールドエンジニアに最も近いコンテナであり得る。
【００４０】
１つまたは複数の実施形態では、起動デバイス３０６によって伝達される起動信号は、起動信号を受信する前は低電力モードで稼働させることができるトランシーバによって受信することができる。起動信号はこうしてトランシーバを「起動させ」、これが次いで、無線カードを作動させるようにコンテナコントローラに通知する。コンテナコントローラは、無線カードを低電力モードから高電力モードに移行させる。そうでなければ、他の実施形態では、トランシーバは、無線カードを直接作動させて無線カードのスイッチを入れる（例えば低電力モードから高電力モードへの移行）場合もある。同様に、トランシーバによって同時送信される第２の起動信号は、他のコンテナ３０４上のトランシーバを作動させる、または「起動させ」、これが次いで、直接または他のコンテナ３０４上のコントローラによって無線カードを作動させる場合もある。例示される例には、アクセスポイントコンテナ３０２に対応付けられていないコンテナ３０８も含まれる。このようなコンテナ３０８は、アクセスポイントコンテナ３０２または他のコンテナ３０４を所有している同一団体からのものではない可能性がある。１つまたは複数の実施形態では、起動デバイス３０６は、対応付けられた無線カードを通して起動デバイス３０６がアクセスポイントコンテナ３０２コントローラに接続することを可能にする信用証明用データを含む起動信号を送信することができる。起動デバイス３０６はまた、他のコンテナ３０４が、アクセスポイントコンテナ３０２によって同時送信されたアクセスポイントにアクセスするのを可能にするための信用証明用データも含むことができる。例えば、造船所にある９つのコンテナのうちの６つが団体Ａに属している場合、起動デバイス３０６は、各コンテナがアクセスポイントにアクセスするためのトークンを利用することができる。このようなトークンは、範囲内のコンテナ、但し団体Ａによって所有されるコンテナのみに伝達されることになる。
【００４１】
１つまたは複数の実施形態では、起動デバイス３０６は、アクセスポイントコンテナ３０２上の無線カードを作動させるために、アクセスポイントコンテナ３０２から取得された値を利用することができる。アクセスポイントコンテナ３０２から取得される値は、コンテナの外側に書かれたコンテナの数字であり得る、またはコンテナにあるバーコードによってもたらされる場合もある。トークンと併せたこの値を起動信号を送信するのに利用することができる。例えば、アクセスポイントコンテナ３０２が団体Ａに属する場合、このとき団体Ａは、無線カードを作動させ、起動デバイスとデータを共有するための内部トークンを有することができる。実施形態では、このトークンが、コンテナに対応付けられた値と共に含まれることで、特有のコンテナがアクセスポイントとして作動されることを保証することができる。１つまたは複数の実施形態では、トランシーバは、アクセスポイントコンテナ３０２のためのアクセスポイントを構成するのに利用されるために起動デバイス３０６に識別子を伝達することができるＢＬＵＥＴＯＯＴＨ（登録商標）低エネルギービーコンであってよい。トークンは、コンテナ内で動的に、及び／または静的に生成することができる。このトークンは、コンテナＩＤのような情報の１つまたは複数の部分を暗号化し、ビーコン内で送信することができる。
【００４２】
１つまたは複数の実施形態では、コンテナコントローラ、トランシーバ、無線カード及び起動デバイスは、図２に見られるプロセッシングシステム２００上に実装することができる。他のコンテナ３０４に接続するためのアクセスポイントコントローラ３０２の利用は、クライアントモードでの無線カードの稼働としてのエネルギー効率が、アクセスポイントモードのときほどエネルギーを利用しないことを可能にする。このことは、起動デバイス３０６が出荷コンテナに対応付けられたデータを収集するために接続することを可能にするアクセスポイントになるようにすることによって、他のコンテナ３０４がそれほど多くの電力を利用しないことを可能にする。加えて、クライアントモードでの稼働は、アクセスポイントモードでの稼働と比べてより安全であり、そのためアクセスポイントモードで稼働するのに必要とされるコンテナの数が少ない程、より安全になる。また、より少ない数のアクセスポイントコンテナを有することによって、造船所またはドックヤードのような過密に並んでいる領域での干渉がより少なくなる。
【００４３】
図４は、１つまたは複数の実施形態による、動的無線通信のための方法のフロー図を描いている。方法４００は、ブロック４０２に示されるように、第１のデバイスの第１のコントローラによって起動デバイスからの第１の起動信号を受信することを含む。また、第１の起動信号を受信することに応答して、方法４００は、ブロック４０４に示されるように第１のデバイスを低電力状態から高電力状態に移行させることを含む。ブロック４０６で、方法４００は、第１のデバイスによって第２の起動信号を第２のデバイスの第２のコントローラに同時送信することを含む。方法４００はその後、ブロック４０８で、第１のデバイスによって無線ネットワークを同時送信し、この場合第１のデバイスが無線ネットワークに関するアクセスポイントを含むことを含む。方法４００はまた、ブロック４１０に示されるように、第２のデバイスから無線ネットワークに参加するためのリクエストを受信することを含む。そしてブロック４１２で、方法４００は、第１のデバイスによって第２のデバイスに対して無線ネットワークへのアクセスを許可することを含む。
【００４４】
追加のプロセスが含まれる場合もある。図４に描かれるプロセスは実例を表すこと、また他のプロセスが加えられる場合がある、または本開示の精神及び範囲から逸脱することなく既存のプロセスが削除される、修正される、もしくは再編される場合もあることを理解されたい。
【００４５】
開示される装置及び方法の１つまたは複数の実施形態の詳細な説明が、図面を参照して、限定ではなく、例証として本明細書に提示される。
【００４６】
「約」という用語は、出願時に利用可能である器具による特定の量の測定に関連付けられた誤差の程度を含むことが意図されている。
【００４７】
本明細書で使用される専門用語は、特定の実施形態を説明する目的のみであり、本開示を限定するようには意図されていない。本明細書で使用されるように、単数形の「ａ」、「ａｎ」及び「ｔｈｅ」は、文脈が別段に明確に示さない限り、複数形も含むことが意図されている。用語「備える（ｃｏｍｐｒｉｓｅ）」及び／または「備えている（ｃｏｍｐｒｉｓｉｎｇ）」は、本明細書で使用されるとき、述べられる特徴、整数、ステップ、動作、要素及び／または構成要素の存在を指定するが、１つまたは複数の他の特徴、整数、ステップ、動作、要素、構成要素及び／またはそれらのグループの存在または追加を排除する訳ではないことがさらに理解されよう。
【００４８】
本開示は例示の１つまたは複数の実施形態を参照して説明されているが、本開示の範囲から逸脱することなく、種々の変更が行われてもよく、また均等物がその要素の代わりをする場合もあることは当業者によって理解されるであろう。加えて、本開示の必須の範囲から逸脱することなく、特定の状況または材料を本開示の教示に適合させるために多くの修正が行われる場合もある。したがって、本開示は、本開示を実施するために企図された最適な態様として開示される特定の実施形態に限定されるのではなく、本開示は、添付の特許請求の範囲内に収まる全ての実施形態を含むことが意図されている。
【図１】
2020113985.tif 000003
【図２】
2020113985.tif 000004
【図３】
2020113985.tif 000005
【図４】
2020113985.tif 000006